【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
ユーザの指の少なくとも一部分を受け入れるように構成されている指保持部分を有するトラッキング装置ハウジングを含む、グラフィカルユーザインタフェース上でユーザインタフェースオブジェクトを動かす際に使用するための動き情報を生成するためのトラッキング装置と
ベース装置ハウジングを含むベース装置とを含むコンピュータ周辺システムであって、
該ベース装置ハウジングが、少なくとも一つの固定コンポーネントを含み、かつ該トラッキング装置ハウジングを受け入れるような大きさのキャビティを画定し、
該トラッキング装置ハウジングが該キャビティの中に挿入されているときに該トラッキング装置ハウジングを該ベース装置ハウジングに固定するように該固定コンポーネントが構成されており、
該ユーザインタフェースオブジェクトを動かす際に使用するための隣接面に対する該ベース装置の動きを変換するように該ベース装置が構成されている、
コンピュータ周辺システム。
【請求項２】
トラッキング装置が、動き情報を生成するために使用される動きを測定するための第一のトラッキング機構を含む、請求項1記載のシステム。
【請求項３】
第一のトラッキング機構を動作不能にするようにおよび動作可能にするように構成された選択機構をさらに含む、請求項2記載のシステム。
【請求項４】
トラッキング機構がローラボール、トラックボール、光学センサ、またはレーザを含む、請求項2記載のシステム。
【請求項５】
トラッキング機構が光学センサを含む、請求項2記載のシステム。
【請求項６】
トラッキング装置が、光学センサの少なくとも一部分を取り付けるための光学マウントをさらに含み、該トラッキング装置の動きを測定するために使用される表面に対して適切に作用する角度範囲内に該光学センサの該部分が留まるように、該光学マウントが傾くように構成されている、請求項5記載のシステム。
【請求項７】
ベース装置が、隣接面に対する該ベース装置の動きを測定するための第二のトラッキング機構を含む、請求項2記載のシステム。
【請求項８】
トラッキング装置が受け入れられているとき、ベース装置のための第二のトラッキング機構が動作不能になる、請求項7記載のシステム。
【請求項９】
トラッキング装置が受け入れられているとき、ベース装置が、第一のトラッキング機構を使用して隣接面に対する該ベース装置の動きを変換する、請求項2記載のシステム。
【請求項１０】
トラッキング装置がスクロール機構をさらに含み、ユーザの第二の指による該スクロール機構の操作に基づいて第二の動き情報を生成する、請求項1記載のシステム。
【請求項１１】
スクロール機構が調節可能な向きを有する、請求項10記載のシステム。
【請求項１２】
トラッキング装置内に配置され、かつ該トラッキング装置をユーザの指の受け入れられている部分に固定するために使用される摩擦または圧力を生成するように構成されたライナを、トラッキング装置が含む、請求項1記載のシステム。
【請求項１３】
グラフィカルユーザインタフェース上でユーザインタフェースオブジェクトを動かす際に使用するための第二の動き情報を生成するための第二のトラッキング装置をさらに含む、請求項1記載のシステム。
【請求項１４】
グラフィカルユーザインタフェースを表示する表示装置とトラッキング装置またはベース装置との間の通信チャネルを設けるための接続キーをさらに含む、請求項1記載のシステム。
【請求項１５】
接続キーが、動き情報をトラッキング装置から表示装置に送信するためのワイヤレスレシーバを含む、請求項14記載のシステム。
【請求項１６】
接続キーが、情報をベース装置から表示装置に送信する有線コネクタを含む、請求項14記載のシステム。
【請求項１７】
接続キーが、非標準ユニバーサル・シリアル・バス接続を含むベース装置に接続するためのインタフェースを有する、請求項16記載のシステム。
【請求項１８】
ベース装置が、接続キーを格納するための格納部分をさらに含む、請求項14記載のシステム。
【請求項１９】
トラッキング装置が、該トラッキング装置がベース装置に挿入されているときに充電されるように構成された充電式バッテリをさらに含む、請求項1記載のシステム。
【請求項２０】
トラッキング装置が、状態を示すように構成された表示スクリーンまたは発光ダイオードをさらに含む、請求項1記載のシステム。
【請求項２１】
トラッキング装置が、受け入れられたユーザの指の先端が該トラッキング装置から突出することを可能にするように構成されている、請求項1記載のシステム。
【請求項２２】
ユーザインタフェースオブジェクトを動かす際に使用するための動き情報を生成するためのユーザ入力を受けるように構成され、かつグラフィカルユーザインタフェース上の他のユーザインタフェースオブジェクトの選択を行うように構成された機構を、トラッキング装置がさらに含む、請求項1記載のシステム。
【請求項２３】
トラッキング装置がユーザの人差し指に配置されているときに該人差し指に隣接する親指にとって機構がアクセス可能になるように、該機構が該トラッキング装置上に配置されている、請求項22記載のシステム。
【請求項２４】
ユーザの指に配置されるように構成されたトラッキング装置を受け入れるような大きさのキャビティを画定しかつ少なくとも一つの固定コンポーネントを含むベース装置ハウジングを含むベース装置を含む機器であって、
該トラッキング装置が該キャビティの中に挿入されているときに該トラッキング装置を該ベース装置ハウジングに固定するように該固定コンポーネントが構成されており、
該トラッキング装置が、ユーザインタフェース上でユーザインタフェースオブジェクトを動かす際に使用するための動き情報を生成し、
該ベース装置が、該ユーザインタフェースオブジェクトを動かす際に使用するための隣接面に対する該ベース装置の動きを変換するように構成されている、
機器。
【手続補正２】
【補正対象書類名】明細書
【補正対象項目名】０００９
【補正方法】変更
【補正の内容】
【０００９】
フィンガチップマウスおよびベース構造の一つまたは複数の態様の詳細を添付図面および以下の詳細な説明で記載する。フィンガチップマウスおよびベース構造の他の特徴および利点は、詳細な説明および図面ならびに請求の範囲から明らかになるであろう。
[請求項1001]
ユーザの指の少なくとも一部分を受け入れるように構成されている、グラフィカルユーザインタフェース上でユーザインタフェースオブジェクトを動かす際に使用するための動き情報を生成するためのトラッキング装置と
該ユーザインタフェースオブジェクトを動かす際に使用するための隣接面に対する動きを変換するように構成されている、該トラッキング装置を受け入れるように構成されたベース装置と
を含む、コンピュータ周辺システム。
[請求項1002]
トラッキング装置が、動き情報を生成するために使用される動きを測定するための第一のトラッキング機構を含む、請求項1001記載のシステム。
[請求項1003]
第一のトラッキング機構を動作不能にするようにおよび動作可能にするように構成された選択機構をさらに含む、請求項1002記載のシステム。
[請求項1004]
トラッキング機構がローラボール、トラックボール、またはレーザを含む、請求項1002記載のシステム。
[請求項1005]
トラッキング機構が光学センサを含む、請求項1002記載のシステム。
[請求項1006]
トラッキング装置が、光学センサの少なくとも一部分を取り付けるための光学マウントをさらに含み、該トラッキング装置の動きを測定するために使用される表面に対して適切に作用する角度範囲内に該光学センサの該部分が留まるように、該光学マウントが傾くように構成されている、請求項1005記載のシステム。
[請求項1007]
ベース装置が、隣接面に対する該ベース装置の動きを測定するための第二のトラッキング機構を含む、請求項1002記載のシステム。
[請求項1008]
トラッキング装置が受け入れられているとき、ベース装置のための第二のトラッキング機構が動作不能になる、請求項1007記載のシステム。
[請求項1009]
トラッキング装置が受け入れられているとき、ベース装置が、第一のトラッキング機構を使用して隣接面に対する該ベース装置の動きを変換する、請求項1002記載のシステム。
[請求項1010]
トラッキング装置がスクロール機構をさらに含み、ユーザの第二の指による該スクロール機構の操作に基づいて第二の動き情報を生成する、請求項1001記載のシステム。
[請求項1011]
スクロール機構が調節可能な向きを有する、請求項1010記載のシステム。
[請求項1012]
トラッキング装置内に配置され、かつ該トラッキング装置をユーザの指の受け入れられている部分に固定するために使用される摩擦または圧力を生成するように構成されたライナを、トラッキング装置が含む、請求項1001記載のシステム。
[請求項1013]
グラフィカルユーザインタフェース上でユーザインタフェースオブジェクトを動かす際に使用するための第二の動き情報を生成するための第二のトラッキング装置をさらに含む、請求項1001記載のシステム。
[請求項1014]
グラフィカルユーザインタフェースを表示する表示装置とトラッキング装置またはベース装置との間の通信チャネルを設けるための接続キーをさらに含む、請求項1001記載のシステム。
[請求項1015]
接続キーが、動き情報をトラッキング装置から表示装置に送信するためのワイヤレスレシーバを含む、請求項1014記載のシステム。
[請求項1016]
接続キーが、情報をベース装置から表示装置に送信する有線コネクタを含む、請求項1014記載のシステム。
[請求項1017]
接続キーが、非標準ユニバーサル・シリアル・バス接続を含むベース装置に接続するためのインタフェースを有する、請求項1016記載のシステム。
[請求項1018]
ベース装置が、接続キーを格納するための格納部分をさらに含む、請求項1014記載のシステム。
[請求項1019]
トラッキング装置が、該トラッキング装置がベース装置に挿入されているときに充電されるように構成された充電式バッテリをさらに含む、請求項1001記載のシステム。
[請求項1020]
トラッキング装置が、状態を示すように構成された表示スクリーンまたは発光ダイオードをさらに含む、請求項1001記載のシステム。
[請求項1021]
トラッキング装置が、受け入れられたユーザの指の先端が該トラッキング装置から突出することを可能にするように構成されている、請求項1001記載のシステム。
[請求項1022]
ユーザインタフェースオブジェクトを動かす際に使用するための動き情報を生成するためのユーザ入力を受けるように構成され、かつグラフィカルユーザインタフェース上の他のユーザインタフェースオブジェクトの選択を行うように構成された機構を、トラッキング装置がさらに含む、請求項1001記載のシステム。
[請求項1023]
トラッキング装置がユーザの人差し指に配置されているときに該人差し指に隣接する親指にとって機構がアクセス可能になるように、該機構が該トラッキング装置上に配置されている、請求項1022記載のシステム。
[請求項1024]
トラッキング装置が、ユーザインタフェースオブジェクトを動かす際に使用するための動き情報を生成するためのユーザ入力を受けるように構成された光学センサをさらに含み、トラッキング装置がユーザの人差し指に配置されているときに該人差し指に隣接する親指にとって該光学センサがアクセス可能になるように、該光学センサが該トラッキング装置上に配置されている、請求項1001記載のシステム。
[請求項1025]
光学センサが、親指が該光学センサから所定の距離内で動くとアクティブ化され、または該親指が該所定の距離の外に動くと非アクティブ化される、請求項1024記載のシステム。
[請求項1026]
光学センサの近くに配置されたスイッチまたはアクチュエータと親指が接触すると、該光学センサがアクティブ化される、請求項1024記載のシステム。
[請求項1027]
赤外線送信、ブルートゥース（Bluetooth）送信または無線周波数送信を使用してワイヤレスに通信するためのトランスミッタをさらに含む、請求項1001記載のシステム。
[請求項1028]
ユーザの指に配置されるように構成されたトラッキング装置を受け入れるためのベース装置を含み、
該トラッキング装置が、ユーザインタフェース上でユーザインタフェースオブジェクトを動かす際に使用するための動き情報を生成し、
該ベース装置が、該ユーザインタフェースオブジェクトを動かす際に使用するための隣接面に対する該ベース装置の動きを変換するように構成されている、
機器。
[請求項1029]
ユーザの指の一部分を受け入れるように構成された指保持部分を有するハウジングと、
表示装置上で第一のユーザインタフェースオブジェクトを動かすように構成されている動き情報を、隣接面に対する該ハウジングの動きに基づいて生成するための動きトラッカと、
該隣接面に押し当てられると該表示装置上の第二のユーザインタフェースオブジェクトの選択を行うように構成され、かつ該ハウジングに結合された感圧スイッチと
を含む、機器。